(57)【要約】  本発明の一態様は、プレフィルドシリンジが容器に収容されている容器入りシリンジであって、前記プレフィルドシリンジは、発泡性を有する材料が充填されている筒状のシリンジ本体と、一端側が前記シリンジ本体の内部に押し込まれているプランジャと、を有し、前記容器は、前記シリンジ本体の形状に沿って窪むように形成されており、前記シリンジ本体を収容する本体収容部と、前記プランジャの形状に沿って窪むように形成されており、前記プランジャを収容するプランジャ収容部と、を有し、前記プレフィルドシリンジの軸方向において、前記プランジャ収容部の長さが、前記プランジャの長さよりも小さい。
2017169038.tif 000002
【特許請求の範囲】
【請求項１】
プレフィルドシリンジが容器に収容されている容器入りシリンジであって、
前記プレフィルドシリンジは、発泡性を有する材料が充填されている筒状のシリンジ本体と、一端側が前記シリンジ本体の内部に押し込まれているプランジャと、を有し、
前記容器は、前記シリンジ本体の形状に沿って窪むように形成されており、前記シリンジ本体を収容する本体収容部と、前記プランジャの形状に沿って窪むように形成されており、前記プランジャを収容するプランジャ収容部と、を有し、
前記プレフィルドシリンジの軸方向において、前記プランジャ収容部の長さが、前記プランジャの長さよりも小さいことを特徴とする容器入りシリンジ。
【請求項２】
前記シリンジ本体は、フランジが形成されており、
前記容器は、前記フランジの形状に沿って窪むように形成されており、前記フランジを収容するフランジ収容部を有することを特徴とする請求項１に記載の容器入りシリンジ。
【請求項３】
前記発泡性を有する材料は、過酸化水素又は過酸化水素誘導体を含むことを特徴とする請求項１に記載の容器入りシリンジ。
【請求項４】
前記発泡性を有する材料は、増粘剤及び溶媒をさらに含むことを特徴とする請求項３に記載の容器入りシリンジ。
【請求項５】
前記発泡性を有する材料は、前記過酸化水素又は過酸化水素誘導体の含有量が過酸化水素に換算した量で１質量％〜３０質量％であり、前記増粘剤の含有量が０．５質量％〜３０質量％であり、前記溶媒の含有量が５０質量％〜８５質量％であることを特徴とする請求項４に記載の容器入りシリンジ。
【発明の詳細な説明】
【技術分野】
【０００１】
本発明は、容器入りシリンジに関する。
【背景技術】
【０００２】
過酸化水素又は過酸化水素誘導体を含むことで、歯牙の漂白効果が高められた歯牙漂白用組成物が知られている（例えば、特許文献１参照）。このような歯牙漂白用組成物は、使用時の簡便性や汚染防止等といった観点から、例えば、予めシリンジ本体と、プランジャと、を有するシリンジ内に充填された状態で供給される。【０００３】
歯牙漂白用組成物のような薬剤が予め充填されたシリンジは、プレフィルドシリンジと呼ばれ、容器に収容された状態で流通される。
【先行技術文献】
【特許文献】
【０００４】
【特許文献１】特開２００９−２４２２９０号公報
【発明の概要】
【発明が解決しようとする課題】
【０００５】
ここで、例えば、上記した過酸化水素又は過酸化水素誘導体が分解して過酸化水素の分解物の気泡が生じると、シリンジ本体の内圧が高まり、プランジャがシリンジ本体から外れる方向に変位する場合がある。このようにプランジャが変位すると、プランジャがシリンジ本体から外れて薬剤が漏れ出したり、シリンジが容器から外れて破損したりして、プレフィルドシリンジとして使用できなくなる可能性がある。【０００６】
本発明の一態様は、上記に鑑みてなされたものであって、プランジャの変位を抑制することが可能な容器入りシリンジを提供することを目的とする。
【課題を解決するための手段】
【０００７】
本発明の一態様は、プレフィルドシリンジが容器に収容されている容器入りシリンジであって、前記プレフィルドシリンジは、発泡性を有する材料が充填されている筒状のシリンジ本体と、一端側が前記シリンジ本体の内部に押し込まれているプランジャと、を有し、前記容器は、前記シリンジ本体の形状に沿って窪むように形成されており、前記シリンジ本体を収容する本体収容部と、前記プランジャの形状に沿って窪むように形成されており、前記プランジャを収容するプランジャ収容部と、を有し、前記プレフィルドシリンジの軸方向において、前記プランジャ収容部の長さが、前記プランジャの長さよりも小さい。
【発明の効果】
【０００８】
本発明の一態様によれば、プランジャの変位を抑制することが可能な容器入りシリンジが提供される。
【図面の簡単な説明】
【０００９】
【図１】本実施形態における容器入りシリンジを例示する平面図である。
【図２】本実施形態における容器入りシリンジを例示する正面図である。
【発明を実施するための形態】
【００１０】
以下、本発明の実施形態について、図面に基づいて説明する。各図面において、同一の構成部分には同一の符号を付し、重複した説明を省略する場合がある。
【００１１】
図１及び図２に、本実施形態における容器入りシリンジを例示する。
【００１２】
容器入りシリンジ１は、図１及び図２に示されるように、プレフィルドシリンジ１０が容器２０に収容されている。
【００１３】
プレフィルドシリンジ１０は、ノズル１１０、シリンジ本体１２０、プランジャ１４０を有する。ノズル１１０、シリンジ本体１２０及びプランジャ１４０は、例えば、プラスチックにより形成されている。シリンジ本体１２０には、歯牙漂白用組成物１２１が充填されている。プレフィルドシリンジ１０の使用者は、プランジャ１４０をシリンジ本体１２０に押し込むことで、シリンジ本体１２０から歯牙漂白用組成物１２１を押し出し、ノズル１１０の吐出口から歯牙漂白用組成物１２１を吐出させることができる。
【００１４】
ノズル１１０は、シリンジ本体１２０の一端に設けられている。ノズル１１０は、シリンジ本体１２０とは反対側の端部に吐出口を有し、シリンジ本体１２０から押し出される歯牙漂白用組成物１２１を吐出する。プレフィルドシリンジ１０を容器２０へ収容する時やプレフィルドシリンジ１０を使用しない時には、図１及び図２に示されるように、ノズル１１０に吐出口を塞ぐキャップ１１１が取り付けられる。
【００１５】
シリンジ本体１２０は、円筒状に形成されており、内部に歯牙漂白用組成物１２１が充填されている。シリンジ本体１２０は、一端にノズル１１０が設けられ、他端の開口からプランジャ１４０が挿入されている。シリンジ本体１２０は、ノズル１１０とは反対側の端部に、外側に突出する鍔状のフランジ１３０が形成されている。
【００１６】
プランジャ１４０は、柱状に形成されており、一端側がシリンジ本体１２０に挿入されている。プランジャ１４０のシリンジ本体１２０へ挿入されている側の端部には、ガスケット１４１が取り付けられている。ガスケット１４１は、例えば、ゴム等の樹脂材料により形成されており、シリンジ本体１２０の内部空間を密封する。プランジャ１４０がシリンジ本体１２０の内部に押し込まれると、ガスケット１４１により押し出された歯牙漂白用組成物１２１がノズル１１０から吐出する。
【００１７】
ここで、歯牙漂白用組成物１２１は、プレフィルドシリンジ１０のシリンジ本体１２０に充填される材料の一例である。歯牙漂白用組成物１２１は、例えば、歯牙に塗布されて付着し、色素が沈着した歯牙を漂白する。
【００１８】
なお、プレフィルドシリンジ１０に充填される材料は、発泡性を有する材料であれば、歯牙漂白用組成物１２１に限定されない。
【００１９】
歯牙漂白用組成物１２１は、過酸化水素又は過酸化水素誘導体を含み、増粘剤、溶媒をさらに含むことが好ましい。
【００２０】
過酸化水素又は過酸化水素誘導体は、漂白作用を有する。
【００２１】
過酸化水素誘導体としては、例えば、過酸化尿素、過ほう酸塩、過炭酸塩、過リン酸塩、過硫酸塩類、過酸化カルシウム、過酸化マグネシウム、過酸化水素ポリビニルピロリドン等が挙げられる。過酸化水素誘導体としては、過酸化尿素を用いることが好ましい。
【００２２】
歯牙漂白用組成物１２１は、過酸化水素又は過酸化水素誘導体を含むことで、過酸化水素の分解物の気泡が生じる発泡性を有する材料となる。
【００２３】
歯牙漂白用組成物１２１中の過酸化水素又は過酸化水素誘導体の含有量は、過酸化水素に換算した量で、１質量％〜３０質量％であることが好ましい。歯牙漂白用組成物１２１中の過酸化水素又は過酸化水素誘導体の含有量が１質量％以上であることにより、歯牙漂白用組成物１２１の漂白効果が得られやすくなり、３０質量％以下であることにより、歯牙漂白用組成物１２１の保存安定性が向上する。
【００２４】
増粘剤としては、例えば、繊維素グルコース酸ナトリウム、アルギン酸ナトリウム、アルギン酸プロピレングリコールエステル、カルボキシポリメチレン、カルボキシメチルセルロース、カルボキシメチルセルロースナトリウム、カルボキシメチルセルロースカルシウム、メチルビニルエーテル／無水マレイン酸共重合体、ジメチルポリシロキサン、デンプングリコール酸ナトリウム、デンプンリン酸エステルナトリウム、ポリアクリル酸ナトリウム、メチルセルロース、ヒドロキシメチルセルロース、ヒドロキシエチルセルロース、ヒドロキシプロピルセルロース、ポリビニルピロリドン、アクリル酸／ベヘン酸コポリマー、結晶セルロース等の有機系増粘剤、グアーガム、カジブビーンガム、タラガム、タマリンドシードガム、アラビアガム、トラガントガム、カラヤガム、アルギン酸、カラギナン、キサンタンガム、ジエランガム、カードラン、キチン、キトサン、キトサミン等の天然増粘剤、炭酸カルシウム、ケイ酸カルシウム、ケイ酸マグネシウム、ケイ酸マグネシウムナトリウム、ケイ酸マグネシウムナトリウムリチウム、シリカ粉末、各種ガラス類、非晶質含水ケイ酸、ヒュームドシリカ等の無機系増粘剤が挙げられる。増粘剤としては、ポリビニルピロリドン、カルボキシポリメチレン、メチルビニルエーテル／無水マレイン酸共重合体を用いることが好ましい。
【００２５】
歯牙漂白用組成物１２１中の増粘剤の含有量は、０．５質量％〜３０質量％であることが好ましい。歯牙漂白用組成物１２１中の増粘剤の含有量が０．５質量％以上であることにより、歯牙漂白用組成物１２１は、粘度が高くなって、歯牙に付着しやすくなる。また、歯牙漂白用組成物１２１中の増粘剤の含有量が３０質量％以下であることにより、歯牙漂白用組成物１２１が軟らかくなって、シリンジ本体１２０から歯牙漂白用組成物１２１を押し出すのが容易になる。
【００２６】
溶媒としては、水及び／又はアルコールを用いることができる。
【００２７】
また、アルコールとしては、歯牙への付着操作性の面から、エタノール、ステアリルアルコール、１−プロパノール、２−プロパノール、２−メチル−２−プロパノール、ポリエチレングリコールモノメチルエーテル、多価アルコールを用いることが好ましい。
【００２８】
多価アルコールとしては、安全性に優れ、歯牙への馴染みが良いことから、グリセリン、ジグリセリン等のポリグリセリン、エチレングリコール、ジエチレングリコール、ポリエチレングリコール、プロピレングリコール、ジプロピレングリコール、ポリプロピレングリコール、１，２−ペンタンジオール、１，２−ヘキサンジオール、１，２−オクタンジオール、ソルビトール、マンニトール又はこれらの混合物を用いることが好ましい。
【００２９】
溶媒としては、水及び／又は多価アルコールを用いることが好ましく、多価アルコールとしては、グリセリン、ポリエチレングリコール、プロピレングリコールを用いることが好ましい。
【００３０】
歯牙漂白用組成物１２１中の溶媒の含有量は、５０質量％〜８５質量％であることが好ましい。歯牙漂白用組成物１２１中の溶媒の含有量が５０質量％以上であることにより、歯牙漂白用組成物１２１が軟らかくなって、シリンジ本体１２０から歯牙漂白用組成物１２１を押し出すのが容易になる。また、歯牙漂白用組成物１２１中の溶媒の含有量が８５質量％以下であることにより、歯牙漂白用組成物１２１の保存安定性が向上する。
【００３１】
なお、歯牙漂白用組成物１２１は、過酸化水素又は過酸化水素誘導体、増粘剤、溶媒以外に、例えば、酸化チタン、酸化亜鉛、酸窒化チタン等の金属酸化物、窒素をドープした酸化チタン、金属塩、金属粉末、過酸化水素を活性化させる触媒、カルシウムキレート剤、ｐＨ調整剤等をさらに含んでもよい。
【００３２】
容器２０は、例えば、プラスチックシートを用いて、底面が開放された箱型に成形されており、シリンジ収容部２００、衝撃吸収部２０１及び凹部２０２がそれぞれ上面から窪むように形成されている。また、容器２０は、シリンジ収容部２００に置かれるプレフィルドシリンジ１０を覆うカバーを有してもよい。
【００３３】
シリンジ収容部２００は、プレフィルドシリンジ１０の形状に沿って、容器２０の上面から窪むように形成されており、プレフィルドシリンジ１０が置かれる。
【００３４】
衝撃吸収部２０１は、シリンジ収容部２００とは異なる位置に、容器２０の上面から窪むように形成されており、例えば、容器入りシリンジ１が落下した時の衝撃や容器入りシリンジ１を輸送する時の振動等を吸収し、プレフィルドシリンジ１０が破損するのを防ぐ。
【００３５】
凹部２０２は、図２に示されるように、プレフィルドシリンジ１０のシリンジ本体１２０の軸方向の中央付近に、容器２０の上面から窪むように形成されている。これにより、プレフィルドシリンジ１０の使用者は、シリンジ本体１２０を持つことで、プレフィルドシリンジ１０を容器２０から取り出しやすくなる。
【００３６】
なお、容器入りシリンジ１では、容器２０に２個のシリンジ収容部２００が形成されているが、容器２０に形成されるシリンジ収容部２００の個数は、２個に限定されない。
【００３７】
ここで、図１には、シリンジ収容部２００の形状を示すために、一方のシリンジ収容部２００からプレフィルドシリンジ１０が取り出された状態が示されている。
【００３８】
また、衝撃吸収部２０１及び凹部２０２の形状、位置、個数等の構成は、図１及び図２に例示されている構成に限定されない。
【００３９】
シリンジ収容部２００は、ノズル収容部２１０、本体収容部２２０、フランジ収容部２３０及びプランジャ収容部２４０を有する。
【００４０】
ノズル収容部２１０は、プレフィルドシリンジ１０のノズル１１０及びキャップ１１１の形状に沿って、容器２０の上面から半円筒状に窪むように形成されている。ノズル収容部２１０は、キャップ１１１が取り付けられたノズル１１０を収容する。
【００４１】
本体収容部２２０は、プレフィルドシリンジ１０のシリンジ本体１２０の形状に沿って、容器２０の上面から半円筒状に窪むように形成されている。本体収容部２２０は、プレフィルドシリンジ１０のシリンジ本体１２０を収容する。
【００４２】
フランジ収容部２３０は、プレフィルドシリンジ１０のシリンジ本体１２０に設けられているフランジ１３０の形状に沿って、容器２０の上面から半円筒状に窪むように形成されている。フランジ収容部２３０は、プレフィルドシリンジ１０のフランジ１３０を収容する。
【００４３】
プランジャ収容部２４０は、プレフィルドシリンジ１０のプランジャ１４０の形状に沿って、容器２０の上面から半円筒状に窪むように形成されている。プランジャ収容部２４０は、プレフィルドシリンジ１０のプランジャ１４０を収容する。
【００４４】
ノズル収容部２１０、本体収容部２２０、フランジ収容部２３０及びプランジャ収容部２４０は、それぞれプレフィルドシリンジ１０の各部の形状に合わせて、奥行き（図１における左右方向の幅）や上面からの深さが異なっている。
【００４５】
シリンジ収容部２００に収容されるプレフィルドシリンジ１０は、深さが異なるノズル収容部２１０と本体収容部２２０との間の段差で、シリンジ本体１２０が係止されることにより、シリンジ収容部２００に収容されるプレフィルドシリンジ１０の軸方向（図１及び図２における上下方向）のノズル１１０の側への変位が制限される。また、プレフィルドシリンジ１０は、フランジ収容部２３０でフランジ１３０が係止されることにより、シリンジ収容部２００に収容されるプレフィルドシリンジ１０の軸方向の変位が制限される。
【００４６】
また、シリンジ収容部２００に収容されるプレフィルドシリンジ１０の軸方向において、プランジャ収容部２４０の長さＬｃが、プランジャ１４０（ガスケット１４１を含む）の長さＬｐよりも小さくなるように形成されている。
【００４７】
ここで、シリンジ本体１２０に充填されている歯牙漂白用組成物１２１は、例えば、過酸化水素誘導体が経時的に分解することあるいは過酸化水素誘導体に熱が加わり、分解することで生じる分解物により気泡が生じて、シリンジ本体１２０の内圧を増大させ、プランジャ１４０をノズル１１０とは反対側に押し返す場合がある。
【００４８】
このような場合、プランジャ収容部２４０の長さＬｃがプランジャ１４０の長さＬｐよりも小さいため、プランジャ１４０は、シリンジ本体１２０から外れる前に、ガスケット１４１とは反対側の端部がプランジャ収容部２４０の壁面２４０ａに接触する。また、プレフィルドシリンジ１０は、シリンジ本体１２０及びフランジ１３０がシリンジ収容部２００で係止されることにより、プランジャ１４０の軸方向への変位が制限されてほぼ固定されている。
【００４９】
上記構成により、例えば、歯牙漂白用組成物１２１が発泡してプランジャ１４０を押し返しても、プランジャ１４０は、シリンジ本体１２０から外れる前に、端部がプランジャ収容部２４０の壁面２４０ａに接触して、それ以上変位することができなくなる。このように、プランジャ１４０の軸方向への変位が制限されることで、シリンジ本体１２０からプランジャ１４０が脱落したり、プレフィルドシリンジ１０が容器２０から外れたりするといった不具合の発生が低減する。
【００５０】
以上で説明したように、容器入りシリンジ１によれば、シリンジ本体１２０に充填されている歯牙漂白用組成物１２１が発泡した場合であっても、プランジャ１４０の軸方向への変位が抑制される。したがって、プランジャ１４０の軸方向への変位に起因する不具合の発生が低減する。
【００５１】
以上、本実施形態における容器入りシリンジについて説明したが、本発明は、上記実施形態に限定されるものではなく、本発明の範囲内で種々の変形及び改良が可能である。
【００５２】
本国際出願は、２０１６年３月３１日に出願された日本国特許出願２０１６−０７１３２１基づく優先権を主張するものであり、日本国特許出願２０１６−０７１３２１の全内容を本国際出願に援用する。
【符号の説明】
【００５３】
１    容器入りシリンジ
１０    プレフィルドシリンジ
２０    容器
１１０    ノズル
１２０    シリンジ本体
１２１    歯牙漂白用組成物
１３０    フランジ
１４０    プランジャ
２００    シリンジ収容部
２１０    ノズル収容部
２２０    本体収容部
２３０    フランジ収容部
２４０    プランジャ収容部
【図１】
2017169038.tif 000003
【図２】
2017169038.tif 000004
【国際調査報告】
2017169038.tif 000005
2017169038.tif 000006
2017169038.tif 000007
2017169038.tif 000008